(57)【特許請求の範囲】
【請求項１】
所定の敷地内に建築されている建物内外いずれかに設けられ、車両が入出庫される駐車スペースを有した車庫であって、
前記駐車スペースに入庫する車両における車両ドアの開放時の有効寸法であるドア開き寸法に基づいて、前記駐車スペースの有効寸法が設定されており、
前記駐車スペースは、車両が駐車される実駐車スペースと、その実駐車スペースに隣接する乗降スペースとを含んで構成されており、
前記乗降スペースの側部のうち前記実駐車スペースとは反対側には、側壁部が形成されており、
前記実駐車スペースと前記乗降スペースとを区画する区画手段及び前記車両を前記実駐車スペースに誘導する誘導手段のうち少なくとも誘導手段を有することにより、前記実駐車スペースに車両が駐車されるように構成されており、
前記誘導手段として、前記駐車スペースに入庫する車両を所定の駐車位置として前記実駐車スペースに誘導する誘導装置が設けられており、
前記誘導装置は、前記駐車スペースを前記実駐車スペース及び前記乗降スペースに分割設定する分割手段を有し、前記車両に対して通信を行うことが可能とされており、前記分割手段により設定された前記実駐車スペースの位置情報を、前記車両に搭載され且つ駐車時における該車両の運転操作を支援する駐車支援装置に対して送信することで、車庫内の幅方向及び奥行方向について前記車両を誘導するものであることを特徴とする車庫。
【請求項２】
前記側壁部には、車両ドアの開放時における前記側壁部と車両ドアとの衝突による衝撃を緩和させる緩衝材が備えられている請求項１に記載の車庫。
【発明の詳細な説明】
【技術分野】
【０００１】
本発明は、車庫に関するものである。
【背景技術】
【０００２】
建物を建築するに際しては、その建物の建築予定の敷地に照らして建築可能な建物が予め設計される。また、建築基準法などの法規制をクリアしつつ施主のニーズに適合させるための設計が行われる（例えば、特許文献１参照）。用途に応じて建物の設計は様々である（例えば、特許文献２参照）。
【特許文献１】特開平１１−２３６７７０号公報
【特許文献２】特開２００２−１８８３０７号公報
【発明の開示】
【発明が解決しようとする課題】
【０００３】
上記設計方法では、建物それ自体や間取りについて注目された設計手法が取り入れられており、最後に駐車領域が決定されることが一般に行われていた。
【０００４】
ところが、このような設計手法にあっては、車庫などの駐車スペースが建物決定後の残りスペースの中で決定されることになる結果、駐車スペースの使い勝手が悪くなり易い。このような問題は建物を利用した後になってその不便さに気付くことが多い。
【０００５】
そこで、本発明は、使い勝手のよい駐車スペースを設定することのできる車庫を提供することを主たる目的とする。
【課題を解決するための手段】
【０００６】
上記課題を解決するために、第１の発明は、所定の敷地内に建築されている建物内外いずれかに設けられ、車両が入出庫される駐車スペースを有した車庫であって、前記駐車スペースに入庫する車両における車両ドアの開放時の有効寸法であるドア開き寸法に基づいて、前記駐車スペースの有効寸法が設定されており、前記駐車スペースは、車両が駐車される実駐車スペースと、その実駐車スペースに隣接する乗降スペースとを含んで構成されており、前記実駐車スペースと前記乗降スペースとを区画する区画手段又は前記車両を前記実駐車スペースに誘導する誘導手段のうち少なくとも一方を有することにより、前記実駐車スペースに車両が駐車されるように構成されていることを特徴とする。
【０００７】
第１の発明によれば、車庫において駐車スペースの有効寸法は、入出庫する車両のドア開き寸法に基づいて設定されている。また、駐車スペースは、実駐車スペースと乗降スペースとを含んで構成されている。したがって、駐車スペースにおいて、車両を駐車させるために必要な駐車専用スペースとして実駐車スペースを確保しつつ、車両ドアを開放させるために必要な車両ドア開放用スペースとして乗降スペースを好適に確保することができる。さらに、実駐車スペースと乗降スペースとが区画されたり車両が実駐車スペースに誘導されたりすることで実駐車スペースに車両が駐車されるため、上記のごとく分割設定された２つのスペースのうち実駐車スペースへの車両の駐車をアシストすることができる。したがって、駐車スペースに車両が駐車された状態で、車両に対する人の乗降や物品の出し入れを容易に行うことができる。以上の結果、車庫の使い勝手を向上させることができる。
【０００８】
ここで、前記乗降スペースの側部のうち前記実駐車スペースとは反対側に側壁部が形成されている場合（第２の発明）や、前記駐車スペースの両側部に側壁部が形成されている場合（第３の発明）には、側壁部によって駐車スペースの側方に制限が設けられる結果、実駐車スペースと乗降スペースとを個々に設定してあることの上記利点が顕著となる。
【０００９】
第４の発明では、第１乃至３のいずれかの発明において、前記誘導手段として、前記駐車スペースに入庫する車両を所定の駐車位置に誘導する誘導装置を備えている。この発明によれば、誘導装置により車両が所定の駐車位置に誘導されるため、車両を実駐車スペースに駐車させることが容易となる。これにより、駐車スペースの有効寸法にドア開き寸法が含まれているにもかかわらず、駐車車両が車両ドア開放用スペース（乗降スペース）にはみ出してしまって車両ドアを開放させることができないといった不都合の発生を抑制できる。
【００１０】
第５の発明では、第４の発明において、前記誘導装置は、車庫内の幅方向の誘導を行う。この発明によれば、車庫内の幅方向に対して車両が誘導されるため、駐車車両の側方に車両ドア開放用スペースを確保することが容易となる。これにより、車両ドアのうち側面ドアを開放させることができないといった不都合の発生を抑制できる。その結果、運転者等は車両への乗降を容易に行うことができる。
【００１１】
第６の発明では、第４又は５の発明において、前記誘導装置は、車庫内の奥行き方向の誘導を行う。この発明によれば、車庫内の奥行き方向に対して車両が誘導されるため、駐車車両の前後に車両ドア開放用スペースを確保することができる。これにより、車両ドアのうち背面ドアを開放させることができないといった不都合の発生を抑制できる。その結果、車両への物品の出し入れを容易に行うことができる。
【００１２】
第７の発明では、第２又は３の発明において、前記側壁部には、車両ドアの開放時における前記側壁部と車両ドアとの衝突による衝撃を緩和させる緩衝材が備えられている。この発明によれば、駐車スペースに車両が駐車されている場合、その車両ドアの側方には緩衝材が設けられている。したがって、仮に、車両ドアが開放された場合にその車両ドアが側壁部に接触したとしても、その衝突の衝撃が緩和されるため、車両ドアや側壁部が破損することを抑制できる。
第８の発明は、所定の敷地内に建築される建物及び駐車スペースを設計する敷地内駐車スペースの設計装置であって、前記駐車スペースに駐車させる予定車両の種別を入力する車両種別入力部と、前記車両種別入力部により入力可能な車両種別に対応付けて車両ドアの開放に必要な有効寸法であるドア開き寸法を記憶したドア開き寸法記憶部と、前記車両種別入力部により車両種別が入力された場合、前記ドア開き寸法記憶部に記憶されている当該車両種別に対応したドア開き寸法に基づいて、前記駐車スペースの有効寸法を設定する駐車スペース設定部と、を備えていることを特徴とする。
【００１３】
第８の発明によれば、建物及び駐車スペースが設計される場合、その駐車スペースの有効寸法は、駐車予定車両のドア開き寸法に基づいて設定される。したがって、駐車スペースにおいて、車両を駐車させるために必要な駐車専用スペースに加えて、車両ドアを開放させるために必要な車両ドア開放用スペースを好適に確保することができる。したがって、完成後の建物及び駐車スペースを実際に利用する場合、駐車スペースに駐車予定車両が駐車された状態で、車両に対する人の乗降や荷物の出し入れを容易に行うことができる。すなわち、使い勝手のよい駐車スペースを設定することができる。
【００１４】
第９の発明は、第８の発明において、車椅子の利用予定を入力する車椅子予定入力部を更に備え、前記駐車スペース設定部は、前記車椅子予定入力部により車椅子の利用を条件とする入力がなされた場合、前記車椅子の幅寸法が前記ドア開き寸法より大きければ、該車椅子の幅寸法に基づいて、前記駐車スペースの有効寸法を設定する。
【００１５】
第９の発明によれば、車椅子の幅寸法がドア開き寸法より大きければ、駐車スペースの有効寸法は車椅子の幅寸法に基づいて設定される。この場合、駐車スペース内において確保されている車両ドア開放用スペースを、車両に対する車椅子の出し入れや車椅子の移動等を行う車椅子用スペースとして使用することができる。したがって、車椅子の利用に際して使い勝手のよい駐車スペースを設定することができる。
【００１６】
第１０の発明は、第８又は９の発明において、敷地形状を含む敷地情報を入力する敷地情報入力部と、敷地から車両が出入り可能な隣接道路幅を含む道路情報を入力する道路情報入力部と、を更に備え、前記駐車スペース設定部は、前記各情報入力部の入力結果に基づいて、前記駐車スペースの有効寸法を設定する。
【００１７】
第１０の発明によれば、駐車スペースの有効寸法は、敷地情報及び道路情報に基づいて設定される。ここで、駐車スペースにおいて、車両は車両ドア開放用スペースを通過することが可能であり、車両ドア開放用スペースの大きい方が駐車スペースへの車両の出入りが容易となる。したがって、敷地形状や隣接道路幅等に起因して駐車スペースへの車両の出入りが容易でなくても、駐車スペースの有効寸法を大きくすることでその難易度を低減することができる。すなわち、車両の出入りに関して使い勝手のよい駐車スペースを設定することができる。
【００１８】
第１１の発明は、第１０の発明において、前記駐車スペースからの前記隣接道路への出入り時における前記予定車両のハンドル操作の許容レベルを入力する操作レベル入力部を備え、前記駐車スペース設定部は、前記敷地情報入力部、道路情報入力部及び前記車両種別入力部により入力された情報に基づいて、前記駐車スペースからの前記隣接道路への出入り時における車両のハンドル操作の必要量を割り出し、前記操作レベル入力部による許容レベルに前記必要量が収まるように前記駐車スペースの有効寸法を設定する。
【００１９】
第１１の発明によれば、駐車スペースの有効寸法は、駐車予定車両が隣接道路から駐車スペースへ出入りする際にハンドル操作の必要量が許容レベルに収まるように設定される。この場合、車両の最小旋回半径が許容レベルとして入力されていれば、切り返し操作を行うことなく車両を駐車スペースに出入りさせることができる。したがって、車両出入りに際しての運転操作を容易化することができる。なお、ハンドル操作の必要量としては、隣接道路から駐車スペースに入庫するのに必要なハンドル操作回数などによって規定することもできる。
【発明を実施するための最良の形態】
【００２０】
以下、本発明を具体化した一実施形態を図面に基づいて説明する。本実施形態では、一階部分に車庫が一体に設けられた車庫付き建物の設計について説明する。そこで、設計についての説明に利用するため、車庫付き建物の一例について図１に基づいて簡単に説明する。なお、図１は敷地境界線と建物の一階部分とを示す平面図である。
【００２１】
図１に示すように、住宅等の建物１０は、敷地１１内にて構築されている。立地条件の観点において、敷地１１は、その周辺が隣地１２や隣接した道路１３により囲まれており、それら隣地１２や道路１３とは敷地境界線１５により区画されている。この場合、敷地１１や隣地１２は、道路１３に沿って配置されていることになる。敷地１１は、平面視略矩形状となっており、その一辺が道路１３に面し、その他の辺が隣地１２に面している。道路１３には、電柱１７が立設されており、その電柱１７は、車両Ｃが道路１３を走行している場合などに障害物となることがある。また、電柱１７の他にも排水溝や縁石などが障害物となることがある。なお、敷地境界線１５のうち道路１３との境界を示す線を道路境界線と称し、隣地１２との境界を示す線を隣地境界線と称する。
【００２２】
建物１０は、トイレやキッチン、リビング、ダイニング、寝室、廊下等の屋内空間２１を有している。また、建物１０は、車庫付き建物となっており、一階部分には一体的に構築された車庫２５を有している。車庫２５は、車両Ｃが駐車される駐車スペース２６を有しており、駐車スペース２６は、平面視略長方形となっている。駐車スペース２６においては、その長手方向が車両進退方向になるとともに敷地境界線１５のうち道路境界線と直交しており、短手方向が車両幅方向となっている。ここでは、駐車スペース２６は、その車両進退方向が道路１３における車両進退方向と直交するように配置されており、車両Ｃの駐車方法が縦列駐車ではなく並列駐車となる。
【００２３】
駐車スペース２６は、その周囲が車庫壁２７により囲まれており、車庫壁２７の一部には、駐車スペース２６と屋外とを連通する車庫開口部２８が形成されている。車庫開口部２８は、駐車スペース２６における道路１３側の短辺に配置されている。したがって、車庫２５は、車庫開口部２８により道路１３側に開放されていることになる。
【００２４】
ここで、車庫２５においては、車庫壁２７の内側が駐車スペース２６の有効寸法となっている。例えば、車両幅方向については、車庫開口部２８を挟んで対向する車庫壁２７の間の寸法が駐車スペース幅寸法Ａとなっており、車両進退方向については、車庫奥側の車庫壁２７と車庫開口部２８との間の寸法が駐車スペース２６の駐車スペース奥行き寸法Ｂとなっている。また、駐車スペース２６と隣地１２との間の寸法は隣地離間距離Ｅ１となっており、駐車スペース２６と道路１３との間の寸法は道路離間距離Ｅ２となっている。なお、隣地離間距離Ｅ１は、車両幅方向に隣接する敷地１１のうち駐車スペース２６に近い方と駐車スペース２６との間の間隔である。さらに、道路１３の幅は隣接道路幅Ｍとなっている。
【００２５】
以上例示したように、特定の敷地１１に建物１０が建築される場合、その建築に先立って設計が行われる。本実施形態では、建物１０の設計が設計支援装置３１を用いて行われる。設計支援装置３１は、例えばパーソナルコンピュータ及び専用プログラムによって構成されており、キーボード等の入力装置に対して設計者により入力操作が行われることで入力データを取得する。そして、入力データに基づいて建物１０及び駐車スペース２６の設計が行われ、その設計結果をメモリ（記憶装置）に記憶させ、必要に応じてディスプレイ（表示装置）に表示させたりプリンタ（印刷装置）に出力させたりする。
【００２６】
設計支援装置３１について、図２〜図７を参照しつつ説明する。図２は設計支援装置３１の概略を示す機能ブロック図、図３は車両情報記憶部５１に記憶されているデータベースについて説明するための図、図４は車両Ｃの車体寸法について説明するための図、図５は車両Ｃの旋回半径Ｒについて説明するための図、図６は旋回軌道テンプレートＮについて説明するための図、図７は駐車スペース２６の設計例を示す図である。
【００２７】
図２に示すように、設計支援装置３１は、建物１０や駐車スペース２６の設計を行う設計部３２と、その設計部３２に各種情報を入力する複数の入力部とを有している。入力部としては、敷地情報入力部４１、道路情報入力部４２、駐車方法入力部４３、車種入力部４４、操作レベル入力部４５、時間レベル入力部４６、車椅子予定入力部４７、及びその他入力部４８があり、各入力部４１〜４８は、設計支援装置３１に対して設計者から付与された入力データに基づいて各種情報を設計部３２にそれぞれ入力する。
【００２８】
具体的には、敷地情報入力部４１は、敷地１１の形状、大きさ、隣地１２や道路１３に対する配置関係など、敷地１１に関する敷地情報を設計部３２に入力する。道路情報入力部４２は、隣接道路幅Ｍ、隣接道路幅Ｍのうち車道の幅、隣接道路幅Ｍのうち歩道の幅、道路１３が延びている方向、車両Ｃの進行可能な向き、電柱１７等の障害物の有無など、道路１３に関する道路情報を設計部３２に入力する。駐車方法入力部４３は、敷地１１内における車両Ｃの駐車位置、道路１３から駐車位置への車両進入方向、車両Ｃの駐車向き、駐車後にどの車両ドアを開放させるかなど、駐車方法に関する情報を設計部３２に入力する。車種入力部４４は、敷地１１内に駐車させる車両Ｃの種別を車種として設計部３２に入力する。
【００２９】
操作レベル入力部４５は、道路１３から車庫２５に車両Ｃが出入りする際のハンドル操作の許容レベルを設計部３２に入力する。ハンドル操作の許容レベルは、ハンドルの操作量について運転者が許容する範囲を段階的なレベルで示すものであり、例えば、ハンドルの操作量が少量となる簡易レベル、通常量となる通常レベル、多量となる困難レベルの３段階のいずれかに設定される。ハンドルの操作量は、車両Ｃを旋回させる場合にはその旋回角度に応じた大きさとなり、車両Ｃの切り返し操作を行う場合にはその切り返し回数に応じた大きさとなる。ここで、車両Ｃの旋回角度が大きかったり切り返し回数が多かったりすると、ハンドル操作を含めた運転操作の難易度が高いと考えられる。したがって、ハンドル操作の許容レベルは、入出庫時における運転操作の難易度に関する許容レベルともいえる。
【００３０】
時間レベル入力部４６は、道路１３から車庫２５に車両Ｃが出入りする際における所要時間の許容レベルを設計部３２に入力する。所要時間の許容レベルは、入出庫の所要時間について運転者が許容する範囲を段階的なレベルで示すものであり、例えば、入出庫の所要時間が短い短時間レベル、普通である通常時間レベル、長い長時間レベルの３段階のいずれかに設定される。ここで、ハンドルの操作量が小さくても駐車スペース２６への進入部が狭い場合、駐車スペース２６へ出入りするための運転操作の難易度が高くなる。これに対して、駐車スペース２６への進入部が広い場合、狭い場合に比べて運転操作の難易度は低いため、入出庫の所要時間は短くなると考えられる。したがって、車両出入りに際しての所要時間の許容レベルは、運転操作の難易度に関する許容レベルともいえる。
【００３１】
車椅子予定入力部４７は、車庫２５内での車椅子の使用予定を設計部３２に入力する。また、車椅子の使用予定が有る場合、車椅子の幅寸法等を車椅子情報として入力する。その他入力部４８は、屋内空間２１の大きさや仕切り方、駐車スペース２６を含めた間取りなど、その他の建物１０全体に関する情報を設計部３２に入力する。
【００３２】
設計支援装置３１は、車両Ｃに関する車両情報を記憶するとともに設計部３２に車両情報を入力する車両情報記憶部５１を有している。車両情報記憶部５１には、図３に示すようなデータベースが記憶されており、そのデータベースは、例えば、車種ごとに、車両ドアＤに関する情報や、幅方向寸法Ｗに関する情報、進退方向寸法Ｌに関する情報、上下方向寸法Ｈに関する情報、旋回半径Ｒに関する情報、旋回軌道テンプレートＮに関する情報などといった車両情報を記憶している。なお、図３においてはデータベースの構造を表形式で示すものであり、各部の具体的な寸法その他については実際にはセル毎に記録されているがここでは数値それ自体の図示は割愛し、各種情報の意義について以下に説明することとする。
【００３３】
例えば、車両Ｃが図４に示すような車種である場合、車両ドアＤに関する情報には、車体の左右両側面に側面ドアＤ１が設けられていること、及び背面に背面ドアＤ２が設けられていることが含まれている。この場合、側面ドアＤ１及び背面ドアＤ２はそれぞれ回動式のドアとなっている。側面ドアＤ１は、回動軸が上下方向に延びるように車体に対して軸支されており、車体側方に向かって開放される。背面ドアＤ２は、回動軸が左右方向に延びるように車体に対して軸支されており、車体後方及び上方に向かって開放される。
【００３４】
幅方向寸法Ｗに関する情報には、図４（ａ）に示すように、車体の幅寸法である車両幅Ｗ０と、側面ドアＤ１を開放させた場合において車体側方での有効寸法である側面ドア開き寸法Ｗ１と、車両幅Ｗ０と側面ドア開き寸法Ｗ１とを加算した側面ドア開放時車両幅Ｗ２とが含まれている。ここで、側面ドア開き寸法Ｗ１は、側面ドアＤ１を全開させるために必要な車両側方におけるスペースの幅寸法となっており、側面ドア開放時車両幅Ｗ２は、車体左右両側の各側面ドアＤ１がそれぞれ全開された場合において、それら側面ドアＤ１のそれぞれの先端の間の間隔となっている。なお、幅方向寸法Ｗに関する情報には、車体の左右両側に設けられているサイドミラーを含んだ総車体幅が含まれていてもよい。
【００３５】
進退方向寸法Ｌに関する情報には、図４（ｂ）に示すように、車体の長さ寸法である車両長さＬ０と、背面ドアＤ２を開放させた場合において車両後方での有効寸法である背面ドア開き寸法Ｌ１と、車両長さＬ０と背面ドア開き寸法Ｌ１とを加算した背面ドア開放時車両長さＬ２とが含まれている。ここで、背面ドア開き寸法Ｌ１は、背面ドアＤ２を全開させるために必要な車両後方におけるスペースの奥行き寸法となっており、背面ドア開放時車両長さＬ２は、全開された背面ドアＤ２の先端と車体先端との間の間隔となっている。
【００３６】
上下方向寸法Ｈに関する情報には、車体の高さ寸法である車両高さＨ０と、背面ドアＤ２を開放させた場合において車両上方での有効寸法である上方ドア開き寸法Ｈ１と、車両高さＨ０と上方ドア開き寸法Ｈ１とを加算した背面ドア開放時車両高さＨ２とが含まれている。ここで、上方ドア開放寸法Ｈ１は、背面ドアＤ２その車両ドアを開放させるために必要な車両上方におけるスペースの高さ寸法となっており、背面ドア開放時車両高さＨ２は、全開された背面ドアＤ２の先端と地面との間の間隔となっている。
【００３７】
なお、進退方向寸法Ｌや上下方向寸法Ｈに関する情報には、車両前部に設けられたボンネットの開放有効寸法や、車両天井部に設けられたサンルーフの開放有効寸法等が含まれていてもよい。
【００３８】
旋回半径Ｒに関する情報には、図５に示すような、最小旋回半径Ｒ０と、外側旋回半径Ｒ１と、内側旋回半径Ｒ２とが含まれている。ここで、最小旋回半径Ｒ０は、左右一対の舵取り車輪の舵取り角度をそれぞれ最大として（舵取り車輪の回転軸を最も大きく傾けて）旋回する時、すなわち旋回半径を最小とする最小旋回時において、左右両前輪のうち旋回中心点Ｏから遠い方の車輪の軌道半径となっている。また、外側旋回半径Ｒ１は、最小旋回時において最も外側を通る車体部分の軌道半径となっており、内側旋回半径Ｒ２は、最小旋回時において最も内側を通る車体部分の軌道半径となっている。ここでは、前輪が舵取り車輪となっている。
【００３９】
なお、外側旋回半径Ｒ１及び内側旋回半径Ｒ２は、車両幅Ｗ０や、車両長さＬ０、最小旋回半径Ｒ０、前後車輪の回転軸間距離（ホイールベース）Ｔ１、左右車輪の離間距離Ｔ２、車体における車輪の位置等に基づいて算出可能となっている。ちなみに、最小旋回時において、左右の舵取り車輪の舵取り角度はそれぞれ異なっており、旋回中心点Ｏに対して外側車輪の舵取り角度はα、内側車輪の舵取り角度はβとなっている。
【００４０】
図６に示すように、旋回軌道テンプレートＮは、駐車に適した車両Ｃの走行軌道を示すデータであり、車両Ｃの旋回時において、左右両後輪の中心点の軌道である最小旋回軌道Ｎ０と、旋回時において最も外側を通る車体部分の軌道である外側旋回軌道Ｎ１と、旋回時において最も内側を通る車体部分の軌道である内側旋回軌道Ｎ２とを示している。旋回軌道テンプレートＮは、上記の車両ドアＤ、幅方向寸法Ｗ、進退方向寸法Ｌ、旋回半径Ｒに関するそれぞれの情報に基づいて車両Ｃごとに個別に設定されている。なお、旋回軌道テンプレートＮは、複数の車種に対して共通の旋回軌道テンプレートＮが設定されてもよい。なお、図３のデータベース中、分類欄を利用して車種に応じた分類を行ってもよい。この分類としては、セダン、ミニバン、１ＢＯＸなどであり、具体的設計処理の際に設計者に表示により参照させるなどの処理が可能である。
【００４１】
図２の説明に戻り、設計部３２は、駐車スペース２６に関する設定を行う駐車スペース設定部５５と、その他の建物１０や車庫２５に関する設定を行うその他設定部５６とを有している。駐車スペース設定部５５は、各入力部４１〜４８及び車両情報記憶部５１から設計部３２に入力された各種情報に基づいて、駐車スペース２６の形状や大きさ、配置等を設定し、その他設定部５６は、駐車スペース２６を基準として、屋内空間２１の形状や大きさ、間取り、建物１０の配置等を設定する。設計部３２は、駐車スペース設定部５５及びその他設定部５６の設定結果に基づいて、建物１０全体の設計を行う。また、設計部３２には、設計結果を表示装置や記憶装置に対して出力する設計出力部５８が接続されている。
【００４２】
設計部３２により設計された駐車スペース２６の例を図７に示す。図７においては、敷地１１の立地条件及び駐車スペース２６の配置パターンが図１と同様の内容に設定されている。特に、駐車スペース２６については、駐車予定車両Ｃを１台の自動車とし、且つ駐車スペース２６には車両Ｃが道路１３側から後退しながら並列駐車されるものとして設定されている。この場合、車両Ｃは、駐車スペース２６における車両進退方向と交差する方向から旋回しつつ出入りすることになる。
【００４３】
駐車スペース２６は、車両Ｃの駐車位置となる駐車専用スペースとしての実スペースＳ１と、駐車車両Ｃの片側の側面ドアＤ１が開放可能であり且つそのドア開放状態で運転者等の乗降が可能となる乗降スペースＳ２と、駐車車両Ｃの背面ドアＤ２が開放可能であり且つそのドア開放状態で物品の出し入れが可能となる物品出し入れスペースＳ３とに仮想的に分割設定されている。なお、乗降スペースＳ２及び物品出し入れスペースＳ３を、車両ドアＤ（側面ドアＤ１及び背面ドアＤ２）を開放させるための車両ドア開放用スペースと称することもできる。
【００４４】
実スペースＳ１と乗降スペースＳ２とは、道路１３側から見て（車両進退方向から見て）駐車スペース２６が幅方向へ隣接するように分割されており、乗降スペースＳ２は実スペースＳ１の片側のみに隣り合って定められている。また、実スペースＳ１と物品出し入れスペースＳ３とは、道路１３側から見て（車両進退方向において）駐車スペース２６を前後（奥行き方向）へ隣接するように分割されており、物品出し入れスペースＳ３は実スペースＳ１の奥側のみに隣り合って定められている。なお、実スペースＳ１、乗降スペースＳ２及び物品出し入れスペースＳ３は、それぞれ平面視略長方形状に設定されている。
【００４５】
実スペースＳ１は、車両幅方向の長さが実スペース幅寸法Ａ１となっており、車両進退方向の長さが実スペース奥行き寸法Ｂ１となっている。実スペース幅寸法Ａ１は、車両Ｃの車両幅Ｗ０より若干大きくなっており、実スペース奥行き寸法Ｂ１は、車両Ｃの車両長さＬ０より若干大きくなっている。したがって、実スペースＳ１への車両Ｃの駐車が可能となる。なお、本実施形態では、実スペース幅寸法Ａ１を車両Ｃのサイドミラーを含んだ総車体幅より大きくしてある。
【００４６】
乗降スペースＳ２は、車両幅方向の長さが乗降スペース幅寸法Ａ２となっており、車両進退方向の長さが駐車スペース２６のスペース奥行き寸法Ｂと同等になっている。乗降スペース幅寸法Ａ２は、車両Ｃの側面ドア開き寸法Ｗ１より大きくなっている。したがって、駐車車両Ｃの片側の側面ドアＤ１を全開にすることが可能となる。そして、実スペース幅寸法Ａ１と乗降スペース幅寸法Ａ２とを加算した寸法が駐車スペース幅寸法Ａとなっている。ちなみに、車庫開口部２８の開口幅も駐車スペース幅寸法Ａと同等になっている。
【００４７】
物品出し入れスペースＳ３は、車両幅方向の長さが実スペース幅寸法Ａ１と同等になっており、車両進退方向の長さが物品出し入れスペース奥行き寸法Ｂ２となっている。物品出し入れスペース奥行き寸法Ｂ２は、車両Ｃの背面ドア開き寸法Ｌ１より大きくなっている。したがって、駐車車両Ｃの背面ドアＤ２を全開にすることが可能となる。なお、実スペース奥行き寸法Ｂ１と物品出し入れスペース奥行き寸法Ｂ２とを加算した寸法が駐車スペース奥行き寸法Ｂとなっており、駐車スペース奥行き寸法Ａは、車両Ｃの背面ドア開放時車両長さＬ２より大きくなっている。
【００４８】
本例の駐車スペース２６では、車両Ｃが道路１３から出入りする際の軌道を示す旋回軌道テンプレートＮが、敷地境界線１５や、駐車スペース２６の境界部、道路１３の境界部等からはみ出していない。これは、車両出入り時において、車両Ｃが隣地１２の建物に接触したり道路１３から脱輪したりしないことを示している。なお、旋回軌道テンプレートＮと道路１３の境界部等との旋回軌道クリアランスΔＮは例えば１０〜３０ｃｍ程度に設定されている。
【００４９】
ここで、例えば、旋回軌道テンプレートＮが道路１３の境界部や駐車スペース２６の境界部等からはみ出すくらい隣接道路幅Ｍや駐車スペース幅寸法Ａ１が小さい場合、車両Ｃを最小旋回半径Ｒよりも小さく旋回させるために、車両Ｃの切り返し操作が必要となる。この場合、ハンドル操作の必要量が大きくなり、運転操作の難易度も高くなる。これに対して、旋回軌道クリアランスΔＮが大きく確保されるくらい隣接道路幅Ｍや駐車スペース幅寸法Ａ１が大きい場合、車両Ｃを最小旋回半径Ｒよりも大きく旋回させてもよいため、車両Ｃの操舵角を小さくすることができる。この場合、ハンドル操作の必要量が小さくなり、運転操作の難易度も低くなる。
【００５０】
また、駐車スペース２６においては、旋回軌道テンプレートＮが実スペースＳ１に加えて乗降スペースＳ２を通過している。この場合、乗降スペースＳ２を通過しないように車両Ｃを旋回させるには、車両Ｃの切り返し操作が必要となり、運転操作の難易度が高くなる。したがって、並列駐車用の駐車スペース２６において、乗降スペースＳ２は、運転操作の難易度を低減させる役割を果すことになる。このため、乗降スペースＳ２を、車両出入り時に車両Ｃが通過するため車両出入り用スペースと称することもできる。
【００５１】
なお、図示しないが、駐車スペース２６の高さ方向の有効寸法は、車両Ｃの背面ドア開放時車両高さＨ２より大きくなっている。したがって、車両Ｃが駐車スペース２６に出入りすることが可能となるとともに、駐車スペース２６において車両Ｃの背面ドアＤ２を上方に開放することが可能となる。
【００５２】
ここで、設計支援装置３１の設計部３２によって実行される設計支援処理について、図８のフローチャートを参照しつつ説明する。
【００５３】
図８において、ステップＳ１０１では、上記した設計者の入力作業により入力される敷地情報、道路情報、その他の各種情報に関する入力データを取得済みであるか否かを判定する。なお、入力データには図面データも含まれている。入力データが取得済みでない場合、そのまま本処理を終了し、入力データが取得済みである場合、ステップＳ１０２に進む。
【００５４】
ステップＳ１０２〜Ｓ１０４においては、各種情報を対象とした読み込み処理を行う。
【００５５】
すなわち、ステップＳ１０２では、敷地１１の立地条件として、敷地情報入力部４１や道路情報入力部４２によって入力された敷地情報や道路情報等を読み込む。これら情報には、例えば、平面図化された敷地１１周辺の図面データや、敷地１１や道路１３に関する法的な規制（例えば建築基準法や道路交通法）に関する情報が含まれている。ステップＳ１０３では、車種入力部４４によって入力された駐車スペース２６に駐車させる駐車予定車両Ｃの車種や車両情報記憶部５１に記憶されているデータベースを用いて抽出された車種に対応する車両情報等を読み込む。車両情報には、例えば旋回軌道テンプレートＮの図面データが含まれている。ステップＳ１０４では、ユーザ希望条件として、駐車方法入力部４３によって入力された駐車予定車両Ｃの台数、縦列駐車や並列駐車といった車両Ｃの駐車方法を読み込み、操作レベル入力部４５によって入力されたハンドル操作の許容レベルを読み込み、時間レベル入力部４６によって入力された入出庫時における所要時間の許容レベルを読み込み、更に車椅子予定入力部４７によって入力された車椅子の使用予定等を読み込む。
【００５６】
ステップＳ１０５〜Ｓ１１０においては、建物１０及び駐車スペース２６に関する各項目を設定する処理を行う。
【００５７】
すなわち、ステップＳ１０５では、その他入力部４８によって入力されたユーザに提案する設計プランの数を設定する。例えば、車庫開口部２８から駐車スペース２６への出入りの利便性に関して、車両Ｃを人より優先したプラン、人を車両Ｃより優先したプラン、車両Ｃと人との優先度を同等にしたプランといった３つのプランを提案する場合、設計プランの数を３つに設定する。
【００５８】
ステップＳ１０６では、各プランにおいて駐車スペース２６の配置パターンを設定する。例えば、駐車スペース２６について、道路１３に接近していた方が車両Ｃの出入りが容易となり、離間していた方が人の出入りが容易となるとすれば、車両出入りの利便性に関して車両Ｃを優先したプランの場合は道路離間距離Ｅ２を極力小さくし、人を優先したプランの場合は道路離間距離Ｅ２を極力大きくする。また、車両Ｃと人との優先度を同等にしたプランの場合は、道路離間距離Ｅ２を前記２つのプランの間をとった値とする。なお、駐車スペース２６が道路１３に接近している場合、人が車庫開口部２８から出入りするには道路１３上を歩行する必要があるため、この場合は、車両Ｃを人より優先したプランとなる。このような複数種の配置パターンがステップＳ１０５の必要提案プラン数に応じて決定される。複数の配置パターンの選択順序（優先順位）は予めプログラムにて決めておいてもよいし、設計者が都度任意に決定するものであってもよい。
【００５９】
ステップＳ１０７では、各プランの駐車スペース２６において、先に読み込んだ情報に基づいて、乗降スペースＳ２及び物品出し入れスペースＳ３の有無を設定する。例えば、乗降スペースＳ２を実スペースＳ１の片側だけに有りとし、物品出し入れスペースＳ３を実スペースＳ１の奥方だけに有りとした場合、駐車スペース２６は図７に示すように設定される。
【００６０】
ステップＳ１０８では、先に読み込んだ情報に基づいて、各プランの駐車スペース２６の有効寸法を算出する。ここでは、複数の算出処理により駐車スペース２６の有効寸法をそれぞれ算出する。
【００６１】
すなわち、車体寸法に基づく算出処理として、乗降スペース幅寸法Ａ２を車両Ｃの側面ドア開き寸法Ｗ１より大きい寸法として算出し、物品出し入れスペース奥行き寸法Ｂ２を車両Ｃの背面ドア開き寸法Ｌ１より大きい寸法として算出する。この場合、駐車車両Ｃの側面ドアＤ１及び背面ドアＤ２を全開することができる。また、車椅子の幅寸法に基づく算出処理として、乗降スペース幅寸法Ａ２及び物品出し入れスペース奥行き寸法Ｂ２をそれぞれ車椅子の幅寸法より大きい寸法として算出する。この場合、駐車車両Ｃに対して車椅子を出し入れしたりその車両Ｃの周囲で車椅子を走行させたりすることができる。
【００６２】
また、敷地情報や道路情報に基づく算出処理として、敷地１１の立地条件や道路１３の隣接道路幅Ｍ等に起因して車両出入りに伴う運転操作の難易度が決まるため、運転操作の難易度を加味して駐車スペース２６の有効寸法を算出する。例えば、運転操作の難易度をハンドルの操作量に基づいて規定する場合、車両Ｃの出入りに際してハンドル操作の必要量がハンドル操作の許容レベルに収まるように駐車スペース２６の有効寸法を算出する。例えば、ハンドル操作の許容レベルが簡易レベルである場合は、ハンドル操作の必要量が極力少量で済むように駐車スペース幅寸法Ａを極力大きく算出し、通常レベルである場合は、車両Ｃの切り返し操作が必要ないように駐車スペース幅寸法Ａを算出する。また、困難レベルである場合は、車両Ｃの切り返し操作が所定回数以下となるように駐車スペース幅寸法Ａを極力小さく算出する。これにより、運転操作の難易度を低減させることができるとともに、運転者の運転熟練度に応じて駐車スペース２６の有効寸法を極力小さく算出することも可能となる。
【００６３】
ここで、運転操作の難易度を車両出入りに要する所要時間に基づいて規定する場合、その所要時間が許容レベルに収まるように駐車スペース２６の有効寸法を算出する。例えば、所要時間の許容レベルが短時間レベルである場合は、極力短い時間で車両出入りが完了するように駐車スペース幅寸法Ａを極力大きく算出し、長時間レベルである場合は、所要時間が眺めでもよいため、駐車スペース幅寸法Ａを極力小さく算出してもよい。また、通常時間レベルである場合は、駐車スペース幅寸法Ａを短時間レベルである場合と長時間レベルである場合との間の大きさとして算出する。
【００６４】
以上のようにして駐車スペース２６の有効寸法の算出処理が行われる。この算出処理に引続きステップＳ１０９では、複数の算出処理による算出結果のうちいずれかを駐車スペース２６の有効寸法として設定する処理が実行される。ここでは、各有効寸法のうち最も大きいものを駐車スペース２６の有効寸法として仮設定する。この場合、いずれの算出方法が採用されても車両ドアＤの開放、車椅子の移動、ハンドル操作量の調整、車両出入りにおける所要時間の調整の全てをクリアすることができる。なお、ユーザの希望条件等に基づいて優先すべき算出処理結果を変更してもよい。
【００６５】
ステップＳ１１０では、駐車スペース２６の他に建物１０の建築に必要な項目について設定を行う。その後、建物１０（駐車スペース２６以外）の本ステップＳ１１０における設計処理内容と、ステップＳ１１０における駐車スペース２６（車庫２５）の仮設定された内容との統合処理が行われる。統合処理の結果、問題がなければステップＳ１０９で仮設定されたものが本設定され、駐車スペース２６が広すぎる場合にはステップＳ１０９で仮設定された駐車スペース２６の設計内容を変更して次に広いものを設定する。このような統合処理によって、全体の設計処理が終了する。すなわち、この設計手法では、まず駐車スペース２６を仮設定した後に、当該駐車スペース２６以外の部分が設定されるものとされており、駐車スペース２６の利便性を確実に高めることができるものとなっている。
【００６６】
ステップＳ１１１では、ステップＳ１０５〜Ｓ１１０において設定された建物１０及び駐車スペース２６の各項目に基づく設計プランを図面データとして設計出力部５８に対して出力する。この出力結果を利用して施主に対して設計プランを提示したり、実際の建築に供することができるようになる。この設計支援装置３１の設計結果に基づいて実際に建築された建物１０の一例が図１及び図７に示されたとおりのものとなる。
【００６７】
ここで、建物１０においては駐車スペース２６の利便性を更に高めるべく、図９に示したとおりの付加設備が更に設けられている。すなわち、同図に示すように、車庫２５において、車庫開口部２８を挟んで対向する車庫壁２７（側壁部）にはそれぞれ緩衝材６１が設けられている。緩衝材６１は、実スペースＳ１及び乗降スペースＳ２の側方に配置されており、奥行き方向において駐車車両Ｃの側面ドアＤ１と対向する位置にある。緩衝材６１は、車庫壁２７に側面ドアＤ１等が衝突した場合にその衝撃を緩和させ、側面ドアＤ１や車庫壁２７の損傷を抑制している。
【００６８】
建物１０には、駐車スペース２６のうち実スペースＳ１に車両Ｃを誘導する誘導装置６５が設けられている。誘導装置６５は、ＣＰＵや各種メモリ等からなるマイクロコンピュータを備えており、駐車スペース２６を実スペースＳ１、乗降スペースＳ２及び物品出し入れスペースＳ３に分割設定（制御する上でのエリア設定）する駐車スペース分割機能を有している。誘導装置６５には、車両Ｃ側との無線通信が可能な建物側通信部６６が電気的に接続されており、駐車スペース２６に関する情報が車両Ｃ側に建物側通信部６６から送信される。誘導装置６５及び建物側通信部６６は、例えば車庫壁２７にそれぞれ取り付けられている。
【００６９】
駐車スペース２６に駐車される車両Ｃは、車両コントローラとして車載機器の動作制御を行うＥＣＵ７１を有しており、ＥＣＵ７１は、ＣＰＵや各種メモリ等からなるマイクロコンピュータを備えている。ＥＣＵ７１には、建物側通信部６６との無線通信が可能な車両側通信部７２と、駐車時における車両Ｃの運転操作を支援する駐車支援装置７３とが電気的に接続されている。
【００７０】
駐車支援装置７３は、駐車スペース２６内の実スペースＳ１を目標駐車位置として車両を駐車させるべく、アクセル操作、ブレーキ操作、ステアリング操作等を自動で制御するものであり、かかる自動制御により、車両入庫時に、車両Ｃが実スペースＳ１に向かって走行する。駐車支援装置７３においては、建物１０側の誘導装置６５から送信される駐車スペース２６に関する情報に基づいて実スペースＳ１の位置が取得される。この場合、車両Ｃが、車庫２５内の幅方向及び奥行き方向について誘導装置６５により実スペースＳ１に誘導（駐車スペース２６の幅方向に誘導）されることになり、車両Ｃが実スペースＳ１に駐車される。
【００７１】
なお、駐車支援装置７３は表示モニタを有しており、その表示モニタには、車庫２５内における実スペースＳ１の位置が目標駐車位置として表示される。この場合、車両Ｃの駐車が駐車支援装置７３によりアシストされなくても、運転者は車庫２５内における実スペースＳ１を目標駐車位置として認識することができる。したがって、運転者は実スペースＳ１に車両Ｃを誘導することができる。
【００７２】
以上詳述した本実施形態によれば、以下の優れた効果が得られる。
【００７３】
特定の敷地１１について建物１０及び駐車スペース２６が設計される場合に、駐車スペース２６を従来のように建物１０の設計後の余りスペースの中で決定するのではなく、優先的に決定するようにしたので、車両Ｃの車庫２５からの出入りや、車庫２５内における乗降、荷物の出し入れなど、車両Ｃを有する者にとって実際の生活が快適なものとなる利点がある。
【００７４】
また、設計段階において、駐車スペース２６が実スペースＳ１、乗降スペースＳ２及び物品出し入れスペースＳ３に分割設定され、乗降スペース幅寸法Ａ２が車両Ｃの側面ドア開き寸法Ｗ１より大きく、奥方スペース奥行き寸法Ｂ２が車両Ｃの背面ドア開き寸法Ｌ１より大きく設定される。この場合、駐車スペース２６の意図しない余剰スペースを利用して側面ドアＤ１や背面ドアＤ２を開閉する構成とは異なり、それらドアＤ１，Ｄ２の開閉を確実に行うことができる。したがって、車両Ｃが実スペースＳ１に駐車されると、乗降スペースＳ２を利用した運転者等の乗降や、物品出し入れスペースＳ３を利用した物品の出し入れ等を容易に行うことができる。すなわち、使い勝手のよい駐車スペース２６を設定することができる。
【００７５】
車椅子の使用予定がある場合に、車椅子の幅寸法が車両Ｃの側面ドア開き寸法Ｗ１や背面ドア開き寸法Ｌ１より大きければ、駐車スペース２６において、乗降スペース幅寸法Ａ２や物品出し入れスペース奥行き寸法Ｂ２が車椅子の幅寸法より大きく設定される。この場合、駐車車両Ｃが有る駐車スペース２６においても車椅子の走行等に関して困難性を低減させることができる。すなわち、車椅子の利用に際して使い勝手のよい駐車スペースを設定することができる。また、駐車スペース２６における車椅子の現在又は将来の利用も想定した設計プランの提案をすることができ、施主の満足度を高めることができる。
【００７６】
駐車スペース２６の幅寸法は、複数の算出方法の各算出結果に基づいて設定される。敷地情報や道路情報に基づいて算出する方法では、駐車スペース２６の駐車スペース幅寸法Ａが、入出庫に伴う車両Ｃの運転操作の難易度を加味して算出される。この場合、敷地１１の立地条件や道路１３の隣接道路幅Ｍに起因して駐車スペース２６への車両出入りが容易でなくても、駐車スペース２６において走行可能な乗降スペースＳ２の乗降スペース幅寸法Ａ２が大きく設定されれば、運転操作の難易度が低減される。ここで、運転操作の難易度がハンドルの操作量に基づいて規定される場合、ハンドル操作の必要量が許容レベルに収まるように駐車スペース２６の幅寸法が算出される。この場合、車両出入りに際してのハンドル操作を容易化することができる。また、運転操作の難易度が車両出入りの所要時間に基づいて規定される場合、その所要時間が許容レベルに収まるように駐車スペース２６の幅寸法が算出される。この場合、車両出入りに際しての時間的な煩わしさを緩和することができるとともに、運転者の運転レベルに適した駐車スペース２６の提案を行うことができる。
【００７７】
駐車支援装置７３により駐車時における運転操作が支援されている車両Ｃは、誘導装置６５により車庫２５内の幅方向及び奥行き方向について実スペースＳ１に自動的に誘導されるため、駐車完了後の車両Ｃが実スペースＳ１からはみ出さないようになっている。したがって、駐車された車両Ｃにおいて側面ドアＤ１や背面ドアＤ２を開放させることができないといった不都合の発生を抑制できる。その結果、車両Ｃに対する運転者等の乗降や物品の出し入れを容易に行うことができる。このように、車両Ｃのドア開き寸法を加味してスペースの割振りがなされている車庫２５を設計時の想定通りに利用させることができる。
【００７８】
（他の実施形態）
本発明は上記実施形態の記載内容に限定されず、例えば次のように実施してもよい。
【００７９】
（１）上記実施形態では、車庫２５において、実スペースＳ１に車両Ｃを駐車させるために、車両Ｃを誘導する誘導手段として誘導装置６５が設けられているが、誘導装置６５に加えて又は代えて、実スペースＳ１と乗降スペースＳ２とを区画する区画手段が設けられていてもよい。区画手段としては、実スペースＳ１と乗降スペースＳ２との境界に沿って延びる白色等の区画線や、同じく境界に沿って延びる溝部、乗降スペースＳ２を実スペースＳ１に対して高い又は低いレベルとなるように構成した場合のそれらスペースＳ１，Ｓ２間の段差などが挙げられる。これらのような区画手段が設けられている場合でも、駐車スペース２６のうち実スペースＳ１を目標駐車位置として車両Ｃ側に認識させることができる。したがって、実スペースＳ１への車両Ｃの駐車を好適にアシストすることができる。
【００８０】
（２）上記実施形態では、駐車スペース２６が実スペースＳ１、乗降スペースＳ２及び物品出し入れスペースＳ３からなる３つの領域に分割設定されるが、駐車スペース２６が分割される領域は３つでなくてもよい。例えば、図１０（ａ）に示すように駐車スペース２６が実スペースＳ１及び乗降スペースＳ２からなる２つの領域に分割設定される構成や、図１０（ｂ）に示すように駐車スペース２６が実スペースＳ１、物品出し入れスペースＳ３及び２つの乗降スペースＳ２からなる４つの領域に分割設定される構成もあり得る。なお、図１０（ａ）に示すように、乗降スペースＳ２について、乗降スペース幅寸法Ａ２は車両Ｃの側面ドア開き寸法Ｗ１より小さくすることも可能である。但し、乗降スペース幅寸法Ａ２を、側面ドアＤ１を所定開度だけ開放可能な大きさとすることが好ましい。このような各種の領域の分割設定は、車種入力部４４及び駐車方法入力部４３による入力によって設計支援装置３１が自動設定する他、施主のニーズに応じてその他入力部４８の入力によっても行うようにすることができる。
【００８１】
（３）上記実施形態では、敷地１１において、道路１３に対して車両Ｃが並列駐車されるように駐車スペース２６が配置されているが、車両Ｃが縦列駐車されるように駐車スペース２６が配置されていてもよい。このような縦列駐車の設定は駐車方法入力部４３による入力によって実現することができる。
【００８２】
（４）上記実施形態では、運転操作の難易度は、ハンドルの操作量や車両出入りに要する所要時間に基づいて規定されているが、それらに加えて又は代えて、アクセル操作やブレーキ操作の回数や時間に基づいて規定されてもよい。この場合でも、駐車スペース２６の駐車スペース幅寸法Ａの大きさを調整することで、運転操作の技量に適合させつつ駐車難易度を低減させることができる。
【００８３】
（５）上記実施形態では、車椅子の幅寸法に基づく算出処理として、乗降スペース幅寸法Ａ２及び物品出し入れスペース奥行き寸法Ｂ２をそれぞれ車椅子の幅寸法より大きい寸法として算出するようにしたが、車椅子の幅寸法より若干大きい程度では車椅子の取扱いが不便になることが想定される。そこで、車椅子を利用することが予定される場合には乗降スペース幅寸法Ａ２が車椅子の幅寸法の３／２の大きさを確保されるように算出されるとよい。
【００８４】
（６）上記実施形態では、車庫２５が建物１０と一体的に構築されている付属車庫として説明したが、車庫２５は、建物１０と独立して構築されていてもよい。この場合でも、設計支援装置３１により設計支援が行われることで、敷地１１内において、駐車スペース２６の有効寸法を確保することができる。
【図面の簡単な説明】
【００８５】
【図１】本実施形態における敷地周辺及び建物を示す平面図。
【図２】設計支援装置の概略を示す機能ブロック図。
【図３】車両情報記憶部に記憶されているデータベースについて説明するための図。
【図４】車両の車体寸法について説明するための図。
【図５】車両の旋回半径について説明するための図。
【図６】旋回軌道テンプレートについて説明するための図。
【図７】駐車スペースの設計例を示す図。
【図８】設計支援装置の設計部によって実行される設計支援処理を示すフローチャート。
【図９】建物の具体例を示す平面図。
【図１０】駐車スペースの分割設定についての別例を示す平面図。
【符号の説明】
【００８６】
１０…建物、１１…敷地、１３…道路、２５…車庫、２６…駐車スペース、２７…車庫壁、３１…設計支援装置、３２…設計部、４１…敷地情報入力部、４２…道路情報入力部、４３…駐車方法入力部、４４…車両情報入力部、４５…操作レベル入力部、４６…時間レベル入力部、４７…車椅子予定入力部、５１…車両情報記憶部、６１…緩衝材、６５…誘導装置、Ａ…駐車スペース幅寸法、Ｂ…駐車スペース奥行き寸法Ｃ…車両、Ｌ１…背面ドア開き寸法、Ｍ…隣接道路幅、Ｓ１…実駐車スペースとしての実スペース、Ｓ２…乗降スペース、Ｗ１…側面ドア開き寸法。
【図１】
0005155724.tif 000002
【図２】
0005155724.tif 000003
【図３】
0005155724.tif 000004
【図４】
0005155724.tif 000005
【図５】
0005155724.tif 000006
【図６】
0005155724.tif 000007
【図７】
0005155724.tif 000008
【図８】
0005155724.tif 000009
【図９】
0005155724.tif 000010
【図１０】
0005155724.tif 000011